(57)【要約】      （修正有）【課題】眼底の撮影位置に関係なくピント視標光を合焦操作に用いることが可能な眼底カメラを提供すること。【解決手段】眼底カメラは、照明光束を眼底に投影する照明光学系１０と、合焦レンズを有し且つ前記眼底からの反射光を撮像手段（ＣＣＤ６ｂ）に導く受光光学系（撮影光学系２０，観察光学系３０）と、前記照明光学系の光路途中に挿脱可能な棒ミラー１９０ａを備え且つ前記棒ミラー１９０ａ及び前記照明光学系１０を介して複数に分離したピント視標光を前記眼底に投影するピント視標投影光学系１９０を備えている。眼底カメラは、前記受光手段（ＣＣＤ６ｂ）の出力から前記前記棒ミラーのミラー像１９０ａ′の輪郭又は前記ピント視標光像１９１ａ，１９１ｂの輪郭の鮮明度を判断して、前記鮮明度から前記合焦レンズによる合焦状態を判断する合焦状態判断手段（制御装置９）を備えている。【選択図】図２
2006280477.tif 000002
【特許請求の範囲】
【請求項１】
照明光束を眼底に投影する照明光学系と、合焦レンズを有し且つ前記眼底からの反射光を撮像手段に導く受光光学系と、前記照明光学系の光路途中に挿脱可能な棒ミラーを備え且つ前記棒ミラー及び前記照明光学系を介して複数に分離したピント視標光を前記眼底に投影するピント視標投影光学系を備えると共に、前記照明光束により前記眼底に前記棒ミラーのミラー像が投影される眼底カメラであって、
前記受光手段の出力から前記棒ミラーのミラー像の輪郭又は前記ピント視標光像の輪郭の鮮明度を判断して、前記鮮明度から前記合焦レンズによる合焦状態を判断する合焦状態判断手段を備えることを特徴とする眼底カメラ。
【発明の詳細な説明】
【技術分野】
【０００１】
この発明は、照明光学系の光路途中に挿脱可能に配設された棒ミラーを用いて、ピント視標光を眼底に投影するようにした眼底カメラに関するものである。
【背景技術】
【０００２】
眼底カメラでは、照明光束を眼底に投影する照明光学系と、前記眼底からの反射光を第１の撮像手段に導く観察光学系と、前記眼底からの反射光を第２の撮像手段に導く撮影光学系を備えているものがある。このような眼底カメラでは、前記照明光学系の光路途中に挿脱可能な棒ミラーを備え且つ前記棒ミラー及び前記照明光学系を介して２つに分離したピント視標光を前記眼底に投影するピント視標投影光学系を備える構成のものが知られている（例えば、特許文献１，２参照）。
【０００３】
この眼底カメラでは、２つに分離されたピント視標光による２つのピント視標像が左右に分離しているとき、ピントがずれていると判断でき、２つのピント視標像が縦に揃っているときに、ピントが合っていて合焦状態と判断できるようになっている。
【０００４】
しかも、この眼底カメラでは、装置本体を被検眼に対してアライメントした後、合焦ハンドル等を操作して受光光学系に設けられる合焦レンズを光軸方向に進退操作することにより、受光光学系を合焦させることができるようになっている。
【特許文献１】特開２０００−２６２４７８号公報
【特許文献２】特開平９−６６０３２号公報
【発明の開示】
【発明が解決しようとする課題】
【０００５】
このような眼底カメラでは、眼底の中央部において合焦操作する場合には、ピント視標光は被検眼の瞳孔で蹴られることはないが、パノラマ撮影等を行うために眼底の周縁部を撮影する場合には、ピント視標光が瞳孔で蹴られて、合焦操作に用いることが難しいものであった。特に、瞳孔の小さい人の場合ににおいて限定の周縁部を撮影する場合は、ピント視標光が瞳孔で確実に蹴られるので、ピント視標光を合焦操作に用いることはできないものであった。
【０００６】
そこで、この発明は、眼底の撮影位置に関係なくピント視標光を合焦操作に用いることが可能な眼底カメラを提供することを目的とするものである。
【課題を解決するための手段】
【０００７】
この目的を達成するため、この発明は、照明光束を眼底に投影する照明光学系と、合焦レンズを有し且つ前記眼底からの反射光を撮像手段に導く受光光学系と、前記照明光学系の光路途中に挿脱可能な棒ミラーを備え且つ前記棒ミラー及び前記照明光学系を介して複数に分離したピント視標光を前記眼底に投影するピント視標投影光学系を備えると共に、前記照明光束により前記眼底に前記棒ミラーのミラー像が投影される眼底カメラであって、前記受光手段の出力から前記前記棒ミラーのミラー像の輪郭又は前記ピント視標光像の輪郭の鮮明度を判断して、前記鮮明度から前記合焦レンズによる合焦状態を判断する合焦状態判断手段を備える眼底カメラとしたことを特徴とする。
【発明の効果】
【０００８】
この構成によれば、眼底の撮影位置に関係なくピント視標光を合焦操作に用いることができる。
【発明を実施するための最良の形態】
【０００９】
[構成]
図１は、本発明に係る眼科撮影装置の一例としての無散瞳タイプの眼底カメラの外観図を示す。この図１において、符号１Ａはベース、符号１Ｂは架台、符号１Ｃは装置本体、符号２は顎受け、符号３は額当て、符号４は外部固視灯、符号５Ａはジョイスティック、符号５Ｂは撮影スイッチ、符号５Ｃは架台１Ｂの上面に設けられた操作パネル、符号５Ｄは合焦ハンドル、符号６はテレビカメラである。
【００１０】
この眼科撮影装置は、ジョイスティック５Ａ、撮影スイッチ５Ｂ、操作パネル５Ｃ上の各種ボタン又はスイッチ、合焦ハンドル５Ｄにより操作される他、マウス（不図示）などによるモニタ画面８０からの操作、などに基づき操作可能とされている。以下、これらの操作を総称して操作手段５という。
【００１１】
このテレビカメラ６は、撮影用テレビカメラ６Ａ及び観察用テレビカメラ６Ｂとを有し、撮影用テレビカメラ６Ａは、画像記録機器としてのスチルビデオレコーダー７を介してモニタ８に接続され、制御装置（制御回路等の制御手段）９に接続されている。また、観察用テレビカメラ６Ｂは制御装置９を介してモニタ８に接続されている。
【００１２】
一方、装置本体１Ｃの内部には、図２に示すように、被検眼Ｅの眼底Ｅｆを照明するための照明光学系１０と眼底Ｅｆを撮影する撮影光学系２０と、眼底Ｅｆを観察する観察光学系３０と、被検眼Ｅに対する装置本体１Ｃの位置合わせを行うためのアライメント光学系４０と、眼底Ｅｆに固視標を投影して被検眼Ｅを固視させるための内部固視標投影光学系５０とを備えている。
【００１３】
この照明光学系１０は、観察時には赤外光により眼底Ｅｆを照明し、撮影時には可視光により眼底Ｅｆを照明する光学系であり、対物レンズ１１と、孔開きミラー１２と、リレーレンズ１３，１３ａと、反射ミラー１４と、リレーレンズ１５と、被検眼Ｅの瞳孔Ｅａと共役関係に保たれたリング開口１６Ａを有するリング開口板１６と、撮影光源としてのキセノンランプ１７ａと、ＩＲフィルター１８と、コンデンサレンズ１９と、観察照明光源としてのハロゲンランプ１７ｂとを有している。また、被検眼Ｅと対物レンズ１１との距離Ｗは、適正作動距離に配置された場合には、孔開きミラー１２は被検眼Ｅの角膜Ｃと共役な位置に配置されている。
【００１４】
この照明光学系１０の光路には、ピント指標投影光学系１９０の一部を構成する棒ミラー（視標棒）１９０ａが被検眼Ｅの眼底Ｅfと光学的に共役な位置に挿脱可能に配設されている。
【００１５】
このピント指標投影光学系１９０は、視標投影光源１９０ｂ，ピンホール板１９０ｃ，レンズ１９０ｄ，プリズム１９０ｅ，ピント指標版１９０ｆ，２孔絞り板１９０ｇ及びレンズ１９０ｈをこの順に有する。そして、視標投影光源１９０ｂからの視標光は、ピンホール板１９０ｃ，レンズ１９０ｄを介してプリズム１９０ｅ，ピント指標板１９０ｆ，２孔絞り板１９０ｇ及びレンズ１９０ｈを介して棒ミラー（視標棒）１９０ａの反射面，リレーレンズ１３，孔開きミラー１２及び対物レンズ１１を介して被検眼Ｅの眼底Ｅｆに投影される。尚、棒ミラー（視標棒）１９０ａの反射面とピント指標板１９０ｆは共役となっている。
【００１６】
しかも、ピント指標光束は、プリズム１９０ｅ、２孔絞り板１９０ｇ等の作用により２つに分離されており、被検眼Ｅの眼底Ｅｆと棒ミラー（視標棒）１９０ａの反射面が共役になっていないと、図１２，図１３に示したようにピント指標像１９１ａ，１９１ｂは左右に２つに分離して見える。
【００１７】
従って、検者は、２つに分離しているピント指標像１９１ａ，１９１ｂが図１０に示したように１つに揃うようにすることにより、簡便にピント合わせを行うことができる。
【００１８】
また、ピント指標投影光学系１９０は、ピント指標板１９０ｆと眼底Ｅfとが常に光学的に共役となるように、観察光学系３０及び撮影光学系２０の合焦レンズ２１（後述）と連動して矢印Ａ１で示したように照明光学系１０の光軸方向に移動するようになっている。
【００１９】
このように、ピント指標投影光学系１９０は、眼底Ｅfとピント指標板１９０ｆのピント指標（図示せず）とが共役となっていないと、図３，図１２，図１３に示すように、ピント指標像１９１ａ，１９１ｂが左右に二つに分離して見え、眼底Ｅfとピント指標板１９０ｆのピント指標（図示せず）とが共役になると、図１０に示したようにピント指標像１９１ａ，１９１ｂが縦に一つに揃って、簡単にピント合わせが行えるように構成されている。
【００２０】
これにより、モニタ画面８０にはピント指標投影光学系１９０に基づく指標像１９１ａ，１９１ｂが表示され、この指標像１９１ａ，１９１ｂが一致された場合には、合焦されたと判断されて撮影が可能となる。検者は、この指標像１９１ａ，１９１ｂを見ながらピント調整できる。
【００２１】
撮影光学系２０は、照明光学系により照明された眼底Ｅｆを静止画像として撮影するための光学系であり、対物レンズ１１と、孔開きミラー１２、合焦レンズ２１と、結像レンズ２２と、反射ミラー２３と、フィールドレンズ２４と、反射ミラー２５と、リレーレンズ２６と、撮影用テレビカメラ６Ａとを有し、撮影用テレビカメラ６Ａの撮像素子６ａは、眼底Ｅｆと光学的に共役関係に維持されている。
【００２２】
また、観察光学系３０は照明光学系１０により照明された眼底Ｅｆを観察するための光学系であり、撮影光学系２０の光路の途中からクイックリターンミラー３３により分岐して構成され、反射ミラー３５、リレーレンズ３６、観察用テレビカメラ６Ｂを有し、この観察用テレビカメラ６Ｂは、クイックリターンミラー３３に対して撮像素子６ａ（撮影用テレビカメラ６Ａ）と光学的に共役な位置に配置されている。
【００２３】
アライメント指標投影手段４０は、アライメント指標を被検眼に向けて投影するためのもので、アライメント光源としてのＬＥＤ４１、そのＬＥＤ４１の発光光を導くライトガイド４２、ライトガイド４２から射出された光を反射させ２孔絞り４３に導く反射鏡４４、リレーレンズ４５、撮影光学系２０からの分岐用のハーフミラー４６、穴あきミラー１２、対物レンズ１１を有する。
【００２４】
この２孔絞り４３はリレーレンズ４５に近接されて配置され、図４に示すように、眼底Ｅfの中央位置指定用の２孔絞り４３０と、眼底Ｅfの周辺位置指定用の２孔絞り４３０とが不図示のソレノイドなどによる２孔絞り切換手段４７の切換操作により光路に切換挿入可能とされている。
【００２５】
それぞれの２孔絞り４３０（又は４３１）は、光軸Ｏ１に関して対称位置に形成された一対の孔部４３ａ、４３ｂを有するが、周辺部用の２孔絞り４３１の孔部４３ａ、４３ｂは、眼底周辺部の指定位置をアライメントするために光軸０１から少し離間されている。これにより、眼底Ｅf中部と周辺部との離間距離が設定される。また、この周辺位置指定用の２孔絞り４３１は、光路に挿入された状態で、光軸０１を回転中心として両矢印方向に回転可能とされている。
【００２６】
アライメント指標投影手段４０は、この２孔絞り４３１を回転させる回転角度θの指定により、眼底Ｅf中心部から等距離を保った状態で偏角方向のみを指定してアライメント指標を被検眼Ｅに向けて投影できるように構成されている。この回転角度θは、この実施の形態では、４５度単位で回転されるように設定されているが、この回転角度（設定角度）θは後述する固視光源の位置に対応して自由に設定可能である。
【００２７】
また、ハーフミラー４６は、波長７６０nmの光束を約半分透過し、それ以外の波長域の光束をほぼ１００％透過させる透過特性Ｔを有し、眼底Ｅｆからの反射光束の光量がこのハーフミラー４６の存在により低下することが抑止されている。
【００２８】
ＬＥＤ４１は中心波長が７６０nmの近赤外光を出射する特性を有する。ライトガイド４２の射出端４２ａはリレーレンズ４５の光軸Ｏ１（撮影光学系２０の光軸Ｏ）上に位置するように配置されている。２孔絞り４３は、作動距離Ｗが適正位置からずれたときにアライメント光束に基づくアライメント像４２１を分離して被検眼Ｅに投影するための光学手段である。
【００２９】
ライトガイド４２の射出端４２ａから出射されたアライメント光束は反射鏡４４により反射されて２孔絞り４３に導かれ、２孔絞り４３の孔部４３ａ、４３ｂを通ったアライメント光束はリレーレンズ４５に導かれる。リレーレンズ４５を通過したアライメント光束はハーフミラー４６により穴あきミラー１２に向けて反射される。リレーレンズ４５はライトガイド４２の射出端（アライメント指標）４２ａを穴あきミラー１２の穴部１２ａの中央位置（撮影光学系２０の光軸Ｏ１上の位置）Ｘにいったん中間結像する。その穴部１２ａの中央位置Ｘに形成されたアライメント指標を形成する一対のアライメント光束は、対物レンズ１１を介して被検眼Ｅの角膜Ｃに導かれる。
【００３０】
観察光学系３０の光路の途中から赤外光を透過し、可視光を反射する特性を有するダイクロイックミラー５３により分岐されて内部固視標投影光学系５０が配置されている。この固視標投影光学系５０は、被検眼Ｅの中心部（いわゆる後極部）とその周辺部に誘導させるための固視標を投影する光学系であり、発光ダイオードなどの固視光源５１と、この固視光源５１に対向して設けられたマスク板５２と、ダイクロイックミラー５３とを有する。
【００３１】
固視光源５１は、例えば図５に示すように、中央に配置された固視光源５１０と、この固視光源５１０を中心とした円周上に等間隔で配置された８個の固視光源５１１〜５１８とを有する。中央の固視光源５１０は、眼底Ｅｆの黄斑部を中心とする観察・撮影用であり、固視光源５１０Ｒ、５１０Ｌは、被検眼Ｅの左右に応じて「老人保健法」で定められた範囲を撮影するためのものである。また、周辺の固視光源５１１〜５１８は眼底Ｅｆの周辺観察・撮影用であり、マスク板５２には、図６に示すように、各固視光源５１０（５１０Ｒ、５１０Ｌ）〜５１８に対向して、ピンホール５２０（５２０Ｒ、５２０Ｌ）〜５２８が設けられている。また、これらの固視光源５１の点灯に連動して２孔絞り４３１が回転される。
【００３２】
この固視光源５１（５１０〜５１８）の光はマスク板５２の各ピンホール５２０〜５２８を通過して、ハーフミラー５３、結像レンズ２２、合焦レンズ２１、対物レンズ１１を介して眼底Ｅｆにピンホール像を固視標として投影する。これにより眼底Ｅｆにピンホール像が結像され被検眼Ｅに固視標が提示される。被検者はこの固視標を視認することにより固視が固定される。
【００３３】
固視光源５１０及び５１１〜５１８のいずれかを点灯させるかによって、撮影光学系２０の光軸Ｏに対する被検者の固視の方向が切り換えられ、これにより眼底Ｅｆの観察・撮影すべき部位が変更できる。この固視光源５１は、十文字、縦横など一線、三角形、五角形、正一六角形など、その固視標の個数及び配置は自由に設定できる。
【００３４】
例えば、固視光源５１０〜５１８が順次点灯される場合、すなわち、固視光源５１０を中心に周辺部に８個（八角形）の固視光源（５１１〜５１８）が点灯される場合には、２孔絞り４３１が４５度単位で回転される。また、固視光源５１を十文字に点灯させる場合には、２孔絞り４３１は９０度単位で回転され、一線（例えば、固視光源５１０、５１３、５１７）を点灯させる場合には、この２孔絞り４３１は、１８０度単位で回転される。
【００３５】
また、この固視光源５１（５１０〜５１８）の点灯に連動して、モニタ画面８０上には、アライメント像基準位置マーク５４（５４０〜５４８）が表示されるように構成されている。周辺を示すアライメント基準位置マーク５４１〜５４８は、眼底周辺部を撮影する際に、角膜頂点Ｃｆが撮影光軸Ｏと外れた位置になるために、撮影光軸Ｏからずれたアライメント指標像の結像位置を予め検者に示唆するものである。これにより、検者は、周辺部の撮影時にもそのアライメント調整を容易に行うことができる。したがって、このアライメント基準位置マーク５４は、提示位置変更手段（後述する表示枠６１又はボタン７６〜７８により操作される固視標位置選択手段）による固視標の提示位置の切換に対応してモニタ画面８０における表示位置が切り換えられている。
【００３６】
この提示位置変更手段（固視光源５１０〜５１８の点灯位置の制御）は、どこにあってもよいが、この実施の形態では、観察時及び撮影時のモニタ画面８０の操作又は操作パネル上での操作による。
【００３７】
そのモニタ画面８０には、図３に示すように、眼底Ｅｆの全体に対する部分としての撮影すべき部位が画面中央に眼底像Ｅｒとして表示される。この眼底像Ｅｒは動画又は静止画である。この図３では、被検眼Ｅ（左眼）が「老人保健法」指定の固視光源５１０Ｌを固視しているものとして、モニタ画面８０にはその中央部（後極部）に対応する撮影すべき部位が眼底像Ｅｒ０として動画で表示されている。なお、固視光源５１０Ｌと固視光源５１０Ｒは、以下の説明では単に固視光源５１０として説明することがある。
【００３８】
また、このモニタ画面８０には、眼底像Ｅｒとして表示された動画とともにそのモニタ画面８０の一部、例えば左下に、眼底Ｅｆの全体に対する部分としての観察中の部位（又は撮影部位）を表示する表示枠（撮影方向指示手段を兼用）６１や、照明光源の輝度情報枠（輝度調整仮想スライドツマミを兼用）６２、撮影光量、患者情報等に関する情報枠６３等が適宜配置されており、これらの配置は、眼科撮影装置の初期設定又は任意の段階で変更可能とされている。
【００３９】
その表示枠６１は、図７に示すように、９個の升目６１０〜６１８から構成され、中央の升目６１０は中央の固視光源５１０（又は５１０Ｒ、５１０Ｌ）に対応し、上（時計で１２時方向）の升目６１１は固視光源５１１に対応し、右上（時計で１時半方向）の６１２升目は固視光源５１２に対応し、右（時計で３時方向）の升目６１３は固視光源５１３に対応する。同様にして升目６１…は固視光源５１…に対応し、左上（時計で１０時半）の升目６１８は固視光源６１８に対応する。検者は、マウスなどの操作により表示枠６１中の各升目６１０〜６１８を選択することにより、固視標の提示位置、すなわち、眼底Ｅｆの全体に対する撮影すべき部位の位置を選択することができる。なお、この表示枠６１には、眼底Ｅfの模様を模式的に表す模式図（認識パターン）が描かれていてもよい。
【００４０】
この表示枠６１は、パノラマ撮影では、撮影済みの部位と、撮影が行われようとしている部位と、まだ撮影されていない部位とが視認により区別されるように構成されているのがよい。この区別は、輝度又は彩度などが変更されてもよく、現在撮影すべき部位の輝度又は彩度がその他の部位に比べて相対的に高輝度若しくは低輝度又は彩度が変化してもよく、又は現在撮影すべき部位が点滅（ブリンクル）されて、その他の部位と比較して視認できるように構成されてもよい。
【００４１】
この図７において、撮影済みの部位６１Ａは、「白又は白抜き」を表す斜線部で示され、撮影が行われようとしている部位６１Ｂは「点滅」を表す横線部で示され、まだ撮影されていない部位６１Ｃは、「低輝度又は黒」を表す無印として区別されている。また、この各升目６１０〜６１８には、各部位において撮影された静止画の数を「アラビア数字」（１，２…）により表している。
【００４２】
なお、中央の升目６１０は、光軸中心の場合は「ｃ」、「老人保健法」指定位置の場合は被検眼Ｅの左右眼に応じて「Ｒ」、「Ｌ」の表示にしてもよい。
【００４３】
これにより、現在撮影を行おうとしている撮影部位は、点滅（横線）している升目６１３（６１Ｂ）であり、この升目６１３では、既に１枚の撮影済みであることを示している。また、升目６１０、６１１，６１２（６１Ａ）は白又は白抜き（斜線）であるので、既に数字で示された枚数の静止画撮影が完了されいることを示し、升目６１４〜６１８は、低輝度又は黒（無印）でありまだ撮影されていないことを表している。
【００４４】
このように、現在撮影が行われようとしている部位６１Ｂと、まだ撮影されていない部位６１Ｃと、撮影済みの部位６１Ａとを、目標とするパノラマ画像全体像の部分として各升目に表示させることにより、検者（撮影者）は、パノラマ画像として今どの箇所を撮影（又は観察）しているのか、これから、どの部位を撮影すべきなのかが一目瞭然に理解される。
【００４５】
この表示枠６１上での操作は、マウスにより各升目６１０〜６１８をクリックすることにより、それぞれに対応した固視光源５１０〜５１８が点灯されて固視すべき位置（観察又は撮影すべき位置）が固定されることにより実行可能である。また、この固視光源の点灯位置（又は撮影・観察すべき位置）は、操作パネルによる操作でも行えるが、その詳細は、操作パネルの説明とともに後述される。
【００４６】
次いで、制御装置９の接続関係を図８により説明する。
【００４７】
この制御装置９は、パソコンなどの演算部及び記憶部を含むもので、眼科撮影装置本体に内蔵されたり、また、外部のパソコンなどの制御装置と連動されていてもよい。この制御装置９は、モニタ８、スチルビデオレコーダ７、撮影用テレビカメラ６Ａ、観察用テレビカメラ６Ｂに接続されている。この例では、モニタ８は本体に内蔵されているが、同時に外部モニタと併用されていてもよく、この外部モニタは、外部のパソコン（制御装置９の一部）に接続されていてもよい。
【００４８】
また、この制御装置９は、各種の操作手段５と接続され、それぞれの操作手段５の指示により、予め定められたプログラムにしたがって操作されてもよい。これらの操作手段５としては、例えば、ジョイスティック５Ａ、撮影スイッチ５Ｂ、操作パネル５Ｃ、合焦ハンドル５Ｄ、不図示のマウス、その他の電源、操作スイッチなどである。ｘｙｚ方向の各種アライメント検出・補正回路、合焦検出回路及びそれらの制御回路、駆動回路などに接続されているが、その詳細は省略されている。
【００４９】
制御装置９は、これらの操作手段からの各種入力信号により、スチルビデオレコーダ７、モニタ８を予め設定されたプログラムにしたがって制御する。
【００５０】
例えば、この発明の眼科撮影装置は、撮影方向指示手段１００としての固視光源５４の点灯位置を制御する固視方向指示手段を備えており、この固視方向指示手段は、上述したとおり、２孔絞り４３１の回転制御、アライメント基準位置マーク５４の選択手段などと連動して制御される。また、この撮影方向指示手段１００（固視方向指示手段）は、撮影方向切換手段１１０としての固視標提示方向切換手段によりその撮影指示方向（固視標の提示位置）を左右方向が対称となるようにより切り換えられる。
【００５１】
モニタ画面８０上の画像の左右方向が対称となるように切り換えて表示する画像切換手段を備える構成の眼科撮影装置では、この撮影方向切換手段１１０は、その画像切換手段の画像表示方向を左右に対称に切り換える画像方向切換手段であってもよい。
【００５２】
このような撮影方向の切換は、制御装置９を介して行われることができるほか、電気的な切換手段により撮影方向が左右対称となるように固視方向指示手段や画像方向指示手段を切り換えてもよい。この実施の形態では、図８に示すように、便宜的にすべての指示手段は制御装置９に接続され、各駆動手段はこの制御装置９による指示により制御されている。
【００５３】
操作パネル５Ｃは、図９に示すように、ジョイスティック５Ａを中心に左側操作パネル７０、右側操作パネル７５とから構成され、左側操作パネル７０には、顎受け２を上下する一対のボタン７１下矢印，７１上矢印（人マーク付き）、メニュウマーク（ｍマーク）の付されたメニュウボタン７２、雷マーク及びＬ、Ｍ、Ｈマークの付された選択ボタン７２Ｌ，７２Ｍ，７２Ｈ、太陽マークの付された照明光源の光量調整ボタン７３＋、７３−とを有する。
【００５４】
一方、右側操作パネル７５の中央には撮影すべき位置選択用（撮影方向指示手段であり、撮影方向切換手段でもある。）の３つのボタンが並んでいる。中央のボタン７６は固視標をセンター（中央部）に戻すボタン（固視標５１０に相当する。）であり、左矢印の付されたボタン７７は固視標の提示位置を左方向へ移動させるボタンであり、右矢印の付されたボタン７８は固視標の提示位置を右方向（時計方向）へ移動させるボタンである。なお、中央のボタン７６で、固視標を「老人保健法」の位置５１０Ｒから５１０Ｌに戻すようにしてもよい。また、符号７９は蛍光タイマーなどの蛍光撮影の際のスイッチである。
【００５５】
これらの操作ボタン７６〜７８は、パノラマ撮影などの場合には、予めプログラムされた方法により順次固視標が移動されるなどの機能を付されていてもよい。例えば、これらの操作ボタン７６〜７８は、パノラマモード選択ボタンとして機能され、ボタン７６によりセンターでの撮影が終了した後に、ボタン７７又は７８を押すことにより、周辺部の撮影用に切り換えられ、周辺部撮影用の２孔絞り４３１が挿入され、升目６１１に相当する位置の眼底Ｅfの撮影が可能となる。
【００５６】
次いで、ボタン７７又は７８の選択により、２孔絞り４３１が右回りに回転されるか、左回りに回転されるかにより、固視標の提示位置が順次変更される。これとともに、基準位置マーク５４の位置選択手段によりアライメント基準位置マーク５４が連動してモニタ画面８０の所定位置に表示されるように変更され、目標とする撮影すべき部位が、眼底像Ｅｒ１〜８として観察・撮影可能とされる。
【００５７】
これにより、眼底Ｅｆの極部を撮影するときには、中央に位置する固視光源５１０が点灯されて、被検眼Ｅにそれに対応したピンホール５２０の固視標が提示され、中央の撮影すべき部位（例えば眼底Ｅｆ後極部）が眼底像Ｅｒ０として撮影可能とされる。
【００５８】
また、眼底周辺部Ｅｆ´を撮影するときには、撮影したい眼底周辺部の撮影に応じてそれに対応する右、左、上、下等の固視光源５１１〜５１８が点灯されて、被検眼Ｅにそれらに対応したピンホール５２１〜５２８の固視標が提示される。また、モニタ画面８０上において、眼底Ｅfを表す動画とともに、ピント指標像１９１ａ，１９１ｂ、目標とする位置に相当するアライメント基準位置マーク５４、アライメント像４２１とが表示される。
【００５９】
検者は、この指標像１９１ａ，１９１ｂを調整したり、アライメント基準位置マーク５４の中央位置にアライメント像４２１が一つになるようにアライメント調整を行うことにより、合焦、アライメント調整を行う。
【００６０】
作動距離Ｗ（ｚ方向）及び上下左右方向（ｘｙ方向：光軸Ｏに直交する方向）の位置が適正であるときには、図１０に示すように、眼底像Ｅｒとともに出射端４２ａの像４２１が、アライメント基準位置マーク５４の中央に合致してモニタ画面８０に表示される。また、アライメントが適正位置からずれているときには、図３に示すように出射端４２ａの像４２１が分離して形成され、したがって、検者はこのアライメント光束に基づくアライメント像４２１の合致・分離を視認することによりアライメント調整を行うことができる。
[作用]
以上のように構成された眼底カメラを用いた観察及び撮影手順の一例について述べる。
［眼底カメラの初期設定］
撮影に先立ち、検者は、この眼底カメラの初期設定を行うことができる。この初期設定は、モニタ画面８０における操作により行える。例えば、メニュウボタン７２を押すことにより、メニュウ画面が表示される。このメニュウ画面には、通常の眼底カメラの初期設定と同様に、必要な情報と不要な情報とを区分けしたり、モニタ画面８０の表示範囲の設定するなどの表示操作、撮影光量の基準値の設定、接続する外部記憶装置や撮影装置の選択（タイミングなどの信号方式の選択）などが設定される。また、固視を内部固視又は外部固視の選択、内部固視を用いる場合の内部固視の個数の選択が階層的に表示可能に設定される。
【００６１】
ボタン７２Ｌ、７２Ｈは、メニュウが選択されている場合には、メニュウ画面８０のカーソルを上下させる操作手段５に変更されるように設定されている。このボタン７２Ｌ，７２Ｈを操作することにより、目的の位置にカーソルを移動させ、確定ボタン７２Ｍを押すことによりそのメニュウが選択される。このメニュウの選択により、撮影方向切換画面を選択する。
【００６２】
図１１は、この撮影方向切換画面が表示されたモニタ画面８０の一例を示す。この図１１では、撮影方向の切換「有り」が選択（有りが反転されている。）され、その選択手段としての「固視標提示方向切換」が反転されて固視標提示方向切換手段がリバース側に選択される状態を示している。この固視標提示方向切換手段（撮影方向の切換）の選択、非選択により、固視標の提示方向の左右が逆転される。また、画像方向切換を選択することにより、画面上での画像の左右方向が逆転されて表示される。この画像方向切換手段は、このモニタ画面８０で設定されていなくてもよい。外部のパソコンを使用する場合には、その画像設定画面での切換を行ってもよい。
［眼底Ｅｆの観察及び眼底Ｅf中央部の撮影］
構成が公知であるので、その詳細は省略されているが、通常の無散瞳眼底カメラは、瞳孔径Ｐdを観察するための瞳像の観察が行える構成となっている。そこで、眼底像Ｅｒを観察及び撮影するためには、眼底カメラと被検眼Ｅとの距離ｗが眼底Ｅf撮影用に適正距離を保つように光学調整されてから眼底Ｅf観察が行われる。
【００６３】
眼底Ｅｆ観察の場合、眼底Ｅｆには照明光学系１０により赤外光が照明される。同一光源を用いる場合には、この照明光学系１０に適宜の光学フィルターを挿脱させることにより赤外光だけを選択してもよい。この例では、ＩＲフィルター１８が挿入された状態で観察光源としてのハロゲンランプ１７ｂが点灯されている。
【００６４】
眼底Ｅｆからの反射光束（赤外光）は観察光学系３０により観察用テレビカメラ６ＢのＣＣＤ６ｂに眼底像Ｅｒを結像する。
【００６５】
そして、このＣＣＤ６ｂで撮像された眼底の画像情報は、制御装置９を介してモニタ画面８０に眼底像Ｅｒを白黒の動画として表示される。
この際、制御装置９は、棒ミラー（視標棒）１９０ａは照明光学系１０の光路途中に挿入すると共に、視標投影光源１９０ｂを点灯させる。尚、この棒ミラー（視標棒）１９０ａは照明光学系１０の照明光により眼底Ｅｆに影となって投影される。そして、この視標投影光源１９０ｂからの光束は、ピンホール板１９０ｃ，レンズ１９０ｄ，プリズム１９０ｅ，ピント指標板１９０ｆ，２孔絞り板１９０ｇ及びレンズ１９０ｈを介して棒ミラー（視標棒）１９０ａの反射面，リレーレンズ１３，孔開きミラー１２及び対物レンズ１１を介して、被検眼Ｅの眼底Ｅｆにピント視標光束として投影される。
【００６６】
このような状態において検者は、ジョイスティック５Ａを前後左右に傾動操作して、装置本体１を被検眼Ｅに対して前後左右に移動操作して、モニタ画面８０を見ながら被検眼Ｅに対する装置本体１のアライメントを行いつつ、眼底Ｅｆを観察する。
【００６７】
そして、制御装置９は、装置本体１の被検眼Ｅに対するアライメントがＯＫになっても、被検眼Ｅの眼底Ｅｆと棒ミラー（視標棒）１９０ａの反射面が共役になっていないと、図１２，図１３に示したようにピント指標光束によるピント指標像１９１ａ，１９１ｂは左右に２つに分離して見えることが普通である。この状態では、棒ミラー１９０のミラー像１９０ａ′及びピント指標像１９１ａ，１９１ｂの周辺は図３Ａ（ａ）に示したようにぼけた状態となる。即ち、アライメントがＯＫになっても通常はピントが合っていない状態となる。
【００６８】
この状態では、ＣＣＤ６ｂへのミラー像１９０ａ′及びピント指標像１９１ａ，１９１ｂが形成される所定範囲の部分をスキャンすると、図３Ａ（ｂ），（ｃ）のようにミラー像１９０ａ′の周縁部の立ち下がり部ａ１及び立ち下がり部ａ２、ピント指標像１９１ａ，１９１ｂの周縁部の立ち上がり部ｂ１及び立ち下がり部ｂ２が少しだれた形状となっていて、ピントが合っていないことが分かる。
【００６９】
従って、制御装置９は、アライメントがＯＫになったときに、２つのピント視標像１９１ａ，１９１ｂの左右へのスプリット状態及びＣＣＤ６ｂの出力から立ち下がり部ａ１及び立ち下がり部ａ２、立ち上がり部ｂ１及び立ち下がり部ｂ２等から、ピントが合っていないことと、合焦方向を検出して、パルスモータ等の駆動手段２１ａを制御し、この駆動手段２１ａにより合焦レンズ２１を観察光軸Ｚ方向に進退駆動して、被検眼Ｅの眼底Ｅｆと観察用テレビカメラ６ＢのＣＣＤ６ｂとを共役にする。これに連動してピント指標投影光学系１９０が照明光学系１０の光軸方向に移動させられ、ピント指標板１９０ｆが眼底Ｅｆと共役にさせられる。
【００７０】
このようなピント合わせによりピント指標像１９１ａ，１９１ｂが縦に一つに揃うと、棒ミラー１９０のミラー像１９０ａ′及びピント指標像１９１ａ，１９１ｂの周辺が図３Ｂ（ａ）に示したように鮮明な状態となる。
【００７１】
この状態では、ＣＣＤ６ｂへのミラー像１９０ａ′及びピント指標像１９１ａ，１９１ｂが形成される所定範囲の部分をスキャンすると、図３Ｂ（ｂ），（ｃ）のようにミラー像１９０ａ′の周縁部の立ち下がり部ａ１及び立ち下がり部ａ２、ピント指標像１９１ａ，１９１ｂの周縁部の立ち上がり部ｂ１及び立ち下がり部ｂ２が垂直な形状となっていて、ピントが合っていることが分かる。
【００７２】
従って、制御装置９は、２つのピント視標像１９１ａ，１９１ｂの左右へのスプリット状態及びＣＣＤ６ｂの出力から立ち下がり部ａ１及び立ち下がり部ａ２、立ち上がり部ｂ１及び立ち下がり部ｂ２等から、ピントが合っていることを検出して、合焦状態であることが分かると、駆動手段２１ａによる合焦レンズ２１の光軸方向への移動を停止させる。
【００７３】
このような合焦状態動作（オートフォーカス）が正常に終了しなかったり、合焦後に合焦状態が満足できなかったりする場合がある。この場合、検者が手動で合焦することができるように、制御装置９は上述した合焦動作を１回のアライメントに対して１回実行した後、次の合焦動作をしないようになっている。
【００７４】
従って、オートフォーカスが満足できるように動作しなかったり、合焦後に合焦状態が満足できなかったりしたときには、合焦終了後に合焦ハンドル５Dを操作することで、マニュアルで合焦操作ができる。
【００７５】
そして、ピント合わせが完了したとき、この状態をモニタ画面８０に表示させて、検者に撮影可能状態であることを知らせる。これに従って撮影を行う場合に、検者は、撮影スイッチ５Ｂを押すと、この撮影スイッチ５Ｂの操作に基づき、同期して、撮影光源であるキセノンランプ１７ａ（可視光）が発光され、眼底Ｅｆからの反射光が撮影光学系２０により、カラーの静止画としての眼底像Ｅｒが撮影用テレビカメラ６Ａの撮像素子（撮像管）６ａに結像される。
【００７６】
この撮影用テレビカメラ６Ａに結像された眼底像Ｅｒは必要な画像情報とともにスチルビデオレコーダ７に記録されるとともにモニタ画面８０に静止画像Ｅｒを表示する。ここで、必要な画像情報とは、患者名、撮影日、撮影時刻、撮影者名などの他、パノラマ画像再現のための必要な撮影位置情報、撮影部位における設営枚数に関する情報などの画像情報を含んでもよい。
【００７７】
眼底Ｅf中央部の観察・撮影ではボタン７６が選択されて、升目６１０が点滅（図では横線）され、これにより、眼底Ｅf中央部が観察中又は撮影すべき部位として選択されていることが視認できる（図３）。アライメントなど完了後の撮影が必要な状態のときに、撮影スイッチ５Ｂを押すことにより、眼底Ｅｆ中央の後極部付近の静止画像Ｅｒ０が撮影用テレビカメラにより受像されて、図１０に示すように、静止画像Ｅｒ０として表示される。これにより、検者は、撮影が確実に行われたことが確認でき、次の観察、撮影に移ることができる。また、この静止画像Ｅｒ０はスチルビデオレコーダ７に画像番号（例えば、００）を付してその他の画像情報とともに記録される。また、升目６１０には撮影済みの枚数「１」が表示される。再び撮影スイッチ５Ｂを押すことにより、動画が表示される。
【００７８】
また、上述した例では、棒ミラー（視標棒）１９０ａは照明光学系１０の照明光により眼底Ｅｆに影となって投影されているので、棒ミラー（視標棒）１９０ａの周縁（輪郭の）の鮮明度も合焦判断に用いることができたが、照明光学系１０の照明光の光量を低く落とした場合には棒ミラー（視標棒）１９０ａの周縁（輪郭の）の鮮明度も合焦判断に用いることができない。この場合には、ピント視標像１９１ａ，１９１ｂのを周縁（輪郭の）の鮮明度を合焦判断に用いる。
【００７９】
尚、被検眼Ｅの眼底Ｅｆの中央部では、ピント視標光が蹴られないので、ピント視標像１９１ａ，１９１ｂのズレ・一致のみを判断して、合焦動作を実行させることができる。即ち、制御装置９は、ピント視標像１９１ａ，１９１ｂが縦に揃うように駆動手段２１ａで合焦レンズ２１を光軸方向に進退駆動制御ればよい。この際、棒ミラー（視標棒）１９０ａの周縁（輪郭の）の鮮明度やピント視標像１９１ａ，１９１ｂのを周縁（輪郭の）の鮮明度は合焦の判断の基礎にしなくても良い。
【００８０】
また、被検眼Ｅの眼底Ｅｆの中央部でも、ピント視標像１９１ａ，１９１ｂのズレ・一致を合焦の判断にするのではなく、棒ミラー（視標棒）１９０ａの周縁（輪郭の）の鮮明度やピント視標像１９１ａ，１９１ｂのを周縁（輪郭の）の鮮明度のみを合焦の判断の基礎にすることもできる。
【００８１】
このように被検眼Ｅの眼底Ｅｆの中央部では、棒ミラー（視標棒）１９０ａの周縁（輪郭の）の鮮明度やピント視標像１９１ａ，１９１ｂのを周縁（輪郭の）の鮮明度のいずれか、或いはピント視標像１９１ａ，１９１ｂのズレ・一致、或いはこれらの組み合わせを合焦の判断の基礎にすることもできる。
【００８２】
更に、観察画像（動画）と撮影画像（静止画）とは、白黒かカラーかの相違であり、モニタ画面８０では明らかであるが、図面においては、略同一でよいので、
この発明の実施の態様の説明では同一図面に同一番号を付して説明する。
［眼底Ｅｆの周辺又はパノラマ撮影］
眼底Ｅf中央部の撮影が終了した時点で、検者が、周辺部の撮影を行うか、又はパノラマ撮影モードを選択すると、制御装置９は、その選択に応じた眼底像Ｅｒをモニタ画面８０の中央に表示させる。この周辺部の撮影は、表示枠６１の位置をマウスなどによる選択によってもよい。
【００８３】
通常、中央の部位の眼底像Ｅｒ０がモニタ画面８０に動画として表示されている状態（図１０の状態）で、パノラマ撮影モード又はボタン７７又は７８が選択される。パノラマ撮影モード又はボタン７７又は７８が選択されると、固視標の提示位置は、眼底Ｅｆの１２時方向を提示する固視標５１１が点灯され、モニタ画面８０の下方（６時方向）には、図１２に示すように、アライメント基準位置マーク５４１が表示される。升目６１１は、撮影に供される位置であることを示すために、点滅されて図面では横線で示される。一方、升目６１０は撮影済みであるので「白」（斜線）で表され、その升目６１０には、撮影済み枚数を示す数字「１」が表示される。
【００８４】
ところで、被検眼Ｅの眼底Ｅｆの周辺部では、ピント視標光が蹴られるので、ピント視標像１９１ａ，１９１ｂのズレ・一致による判断で、合焦動作を実行させることができない。
【００８５】
一方、上述したように、通常は、アライメントがＯＫになっても、棒ミラー１９０のミラー像１９０ａ′及びピント指標像１９１ａ，１９１ｂの周辺は図３Ａ（ａ）に示したようにぼけた状態となって、ピントが合っていない状態となる。この場合には、アライメントがＯＫになっても、ＣＣＤ６ｂへのミラー像１９０ａ′及びピント指標像１９１ａ，１９１ｂが形成される所定範囲の部分をスキャンすると、図３Ａ（ｂ），（ｃ）のようにミラー像１９０ａ′の周縁部の立ち下がり部ａ１及び立ち下がり部ａ２、ピント指標像１９１ａ，１９１ｂの周縁部の立ち上がり部ｂ１及び立ち下がり部ｂ２が少しだれた形状となっている場合、ピントが合っていないことが分かる。
【００８６】
従って、制御装置９は、パノラマ撮影モード又はボタン７７又は７８が選択され、升目６１０以外の周辺部が選択されている場合において、アライメントがＯＫになったときに、ＣＣＤ６ｂの出力から立ち下がり部ａ１及び立ち下がり部ａ２、立ち上がり部ｂ１及び立ち下がり部ｂ２等から、ピントが合っていないこととを検出して、パルスモータ等の駆動手段２１ａを制御し、この駆動手段２１ａにより合焦レンズ２１を観察光軸Ｚ方向に進退駆動して、被検眼Ｅの眼底Ｅｆと観察用テレビカメラ６ＢのＣＣＤ６ｂとを共役にする。これに連動してピント指標投影光学系１９０が照明光学系１０の光軸方向に移動させられ、ピント指標板１９０ｆが眼底Ｅｆと共役にさせられる。
【００８７】
この状態では、ＣＣＤ６ｂへのミラー像１９０ａ′及びピント指標像１９１ａ，１９１ｂが形成される所定範囲の部分をスキャンすると、図３Ｂ（ｂ），（ｃ）のようにミラー像１９０ａ′の周縁部の立ち下がり部ａ１及び立ち下がり部ａ２、ピント指標像１９１ａ，１９１ｂの周縁部の立ち上がり部ｂ１及び立ち下がり部ｂ２が垂直な形状となっていて、ピントが合っていることが分かる。
【００８８】
従って、制御装置９は、２つのピント視標像１９１ａ，１９１ｂの左右へのスプリット状態及びＣＣＤ６ｂの出力から立ち下がり部ａ１及び立ち下がり部ａ２、立ち上がり部ｂ１及び立ち下がり部ｂ２等から、ピントが合っていることを検出して、合焦状態であることが分かると、駆動手段２１ａによる合焦レンズ２１の光軸方向への移動を停止させる。
【００８９】
このような合焦状態動作（オートフォーカス）が正常に終了しなかったり、合焦後に合焦状態が満足できなかったりする場合がある。この場合、検者が手動で合焦することができるように、制御装置９は上述した合焦動作を１回のアライメントに対して１回実行した後、次の合焦動作をしないようになっている。
【００９０】
従って、オートフォーカスが満足できるように動作しなかったり、合焦後に合焦状態が満足できなかったりしたときには、合焦終了後に合焦ハンドル５Dを操作することで、マニュアルで合焦操作ができる。
【００９１】
そして、ピント合わせが完了したとき、この状態をモニタ画面８０に表示させて、検者に撮影可能状態であることを知らせる。これに従って検者は、この眼底像Ｅｒ１の撮影を行うことができる。撮影スイッチ５Ｂを操作することにより撮影を実行すると、撮影光学系２０により静止画像Ｅｒ１が撮影用テレビカメラ６Ａにより受像されて、スチルビデオレコーダ７に画像番号（例えば、１１）とともに必要な画像情報が記録され、升目６１１には、数字「１」が表示される。
【００９２】
このとき静止画像Ｅｒ１がモニタ画面８０に表示されるが、この像は解像度が適切でなかったので、検者は再度撮影を行う。再度の撮影は、升目６１１をマウスによりクリックしてモニタ画面８０に動画を表示し、アライメントなどの必要な操作を行った後に、撮影ボタン５Ｂを押すことにより行える。静止画像Ｅｒ１が撮影用テレビカメラにより受像されて、スチルビデオレコーダ７に画像番号が「１」インクリメントされて、例えば、「１２」として必要な画像情報とともに記録される。このとき、升目６１１には、「１」インクリメントされて数字「２」が表示され、これによりこの升目６１１に対応する部位では２枚の撮影が行われたことが、確認できる。
【００９３】
検者は、次の撮影部位を撮影するために、ボタン７８を操作すると、固視標は時計回りに回転され、患者に対して右上（１時半）の固視光源５１２が点灯される。これにより、患者に対して右上を固視する方向（眼底Ｅfに対して１０時半の方向）の眼底Ｅfが、図１３に示すように、モニタ画面８０の中央に動画Ｅｒ２として表示される。このとき、画面右下（４時半の位置）にアライメント位置基準マーク５４２が表示され、升目６１２が点滅（横線）され、次の撮影箇所が眼底像Ｅｒ２であることを検者は認識できる。同時に升目６１０及び６１１は白く（斜線）なり撮影が終了されたことが確認される。
【００９４】
検者は、アライメント基準位置マーク５４２の中央にアライメント像４２１を合致させてアライメント調整を行い、ピント合わせを終了後、撮影スイッチ５Ｂを操作することにより撮影を実行する。静止画像Ｅｒ２が撮影用テレビカメラにより受像されて、スチルビデオレコーダ７に画像番号（例えば、２１）やその他の必要な画像情報とともに記録される。
【００９５】
検者は、次の撮影のために升目６１３をクリックすると、固視光源５１３が点灯され、患者は、右側に表示された固視標を固視する。これにより、モニタ画面８０には、図１４に示すように、患者に対して３時の方向の動画Ｅｒ３（９時方向の眼底Ｅf）が表示される。検者は、画面右側（３時方向）に表示されたアライメント基準位置マーク５４３の中央にアライメント像４２１を合致させてアライメント調整を行い、ピント合わせ終了後に、撮影スイッチ５Ｂを操作することにより、撮影を実行することができる（図１５）。
【００９６】
以上の操作を繰り返すことにより、順次６１１〜６１８の升目に対応した静止画像がスチルビデオレコーダ７に必要な画像情報とともに記録される。この間、検者は、絶えずモニタ画面８０上で撮影の行われている部位６１Ｂ、撮影の行われていない部位６１Ｃ、撮影が行われた部位６１Ａとその撮影枚数を視認しながらパノラマ撮影を行うことができる。これにより、検者は、被検眼を観察しているときには、既に撮影の終わっている撮影部位６１Ａの位置表示とともに、これから撮影しようとする撮影部位６１Ｂとともにその動画Ｅｒを表示できるので、これから撮影しようとする撮影部位６１Ｂを観察しているときに既に撮影が終わっている撮影部位６１Ａとの相互関係を直感的に把握することができる。
【００９７】
左回りに撮影したい場合には、ボタン７８に代えてボタン７７を操作すればよい。また、撮影中の撮影部位の回転方向は、ボタン７７，７８の選択によることができる。
【００９８】
以上の操作では、検者の左右方向とモニタ画面８０での画像の左右方向が逆転しているので、間に看護婦などの被指示撮影者が介在した場合には、医者が撮影方向の逆転を指示した場合など、看護婦が間違えて、左右方向を逆に操作することがある。このような場合は、看護婦が左右の逆転に慣れていないので、予め初期設定に基づき、ボタン７７とボタン７８との操作の方向を逆に操作されるように撮影方向切換手段により切り換えることにより防ぐことができる。
【００９９】
同様に、モニタ画面８０の画像の左右方向が切り換えられる眼科撮影装置又はモニタによれば、モニタ画面８０における画像の左右方向は患者の左右方向と同一となるので、画面に基づき単純に右、左を指示しても患者、検者、看護婦、撮影指示者ともに混乱することなく撮影を遂行することができる。なお、このような、画像の左右の反転は、外部のパソコンにより画像を操作する場合には、公知の画像処理ソフトを用いて反転させることができる。
【０１００】
このため、予め、間違いが生じることが予想される場合には、図１１に示すメニュウ画面により、固視標の提示方向を切り換えるか、画像の左右方向を切り換えるかの選択を実行させることにより、事前にトラブルを防ぐことができる。
【０１０１】
また、モニタ画面８０の画像の左右を切り換えることにより、医者（撮影指示者）、看護婦（被指示撮影者）、患者（被検者）ともに、左右方向に配慮を払う必要もなくなる。すなわち、医者（撮影指示者）は、モニタ画面８０に従って左を撮影したい場合には、単に「左方向」を指示することになり、被指示撮影者（看護婦）は、画面上で「左方向」の撮影を行えばよい。これにより、固視標は患者に対して「左方向」に提示されることになり、患者は医者の指示に従い、左方向を探すことにより左方向に提示された固視標を間違いなく探し出すことができる。このように、看護婦などの撮影被指示者が間に介在された場合と医者自らが撮影者となる場合とで、医者、看護婦、患者はこの切換スイッチを利用すれば、特別の配慮をすることなく、指示方向が混乱することがない。
【０１０２】
これにより、医者（撮影指示者又は撮影者）、看護婦（撮影者又は撮影指示者）は、それぞれの立場が変わった場合にも、自分の慣れた環境での指示により撮影を行っても、常に同じ環境で撮影でき、順調な撮影を行うことができる。
【０１０３】
このように、眼科撮影装置を使用者の立場に立って多様化させることにより、専門医のみならず、広い範囲の検者が使用できるように構成することにより、パノラマ撮影などの周辺部を撮影できる眼科撮影装置を普及させることができる。
［パノラマ画像の形成］
各撮影すべき部位Ｅｒ０〜Ｅｒ８の撮影終了後に操作手段５によりパノラマ画像の形成を操作すると、モニタ画面８０には図１６に示すように静止画Ｅｒ０〜Ｅｒ８により眼底像が全体像（パノラマ画像）として表示される。ここで、各静止画Ｅｒ０〜Ｅｒ８の輝度を見較べてみて、非常に輝度の高い静止画、あるいは、低い静止画があったとする。
【０１０４】
その場合には、その輝度の高い静止画、あるいは、低い静止画をマウス等の操作手段５によりカーソルを移動させてカーソルの位置する画像上でクリックして指定する。すると、その指定された静止画がモニタ画面８０の表面に現れると同時に、モニタ画面８０に輝度調整仮想スライドツマミ６２が表示される。
【０１０５】
操作手段５により輝度調整仮想スライドツマミ６２を画面上で操作して隣り合う静止画の輝度と違和感のない輝度とすることができ、違和感無く各静止画を連続的につなげて全体の被検眼像を合成できる。
［パノラマ画像からの撮影の継続］パノラマ画像から、モニタ画面８０上で所望の静止画（ここでは、Ｅｒ１）を呼出し指定をすると、静止画Ｅｒ１が拡大表示されるとともに表示枠（又は認識パターン）６１が表示される（図１０）。これにより、モニタ画面８０には図１６に示すパノラマ画像から、その一部が拡大表示された静止画Ｅｒ１として示される。この状態で撮影スイッチ５Ｂを操作するとモニタ画面８０上は、静止画Ｅｒ１と相対位置を保った状態での眼底像Ｅｒ１を観察すべく固視光源５１１が点灯されて、モニタ画面８０には、図１０に示す眼底像Ｅｒ１が動画として再度表示される。これにより、モニタ画面８０上には、静止画と関連づけて観察部位が動画で表示され、制御装置９はこれらを制御する表示制御手段としても機能する。
【０１０６】
この状態で、アライメント調整後に再び撮影スイッチ５Ｂを操作することにより、眼底撮影部位Ｅｒ１の撮影を再び実行することができる。これにより、再度撮影された静止画Ｅｒ１は、画像番号を１インクリメントしてその他の画像情報とともにスチルビデオレコーダー７に記録される。
【０１０７】
これにより、パノラマ画像を形成後に、得られた静止画Ｅｒの一部が他の静止画との対比で、位置ズレ、ピントズレなどで不明瞭な場合に、そのパノラマ画像を観察しながら、直ちに必要とする部位の撮影を、その全体画像との関連付けを視認しながら実行することができる。
【０１０８】
以上説明したように、この発明の実施の形態の眼底カメラは、照明光束を眼底に投影する照明光学系１０と、合焦レンズを有し且つ前記眼底からの反射光を撮像手段（ＣＣＤ６ｂ）に導く受光光学系（撮影光学系２０，観察光学系３０）と、前記照明光学系の光路途中に挿脱可能な棒ミラー１９０ａを備え且つ前記棒ミラー１９０ａ及び前記照明光学系１０を介して複数に分離したピント視標光を前記眼底に投影するピント視標投影光学系１９０を備えている。しかも、前記照明光束により前記眼底に前記棒ミラーのミラー像１９０ａ′が投影される。また、眼底カメラは、前記受光手段（ＣＣＤ６ｂ）の出力から前記前記棒ミラーのミラー像１９０ａ′の輪郭又は前記ピント視標光像１９１ａ，１９１ｂの輪郭の鮮明度を判断して、前記鮮明度から前記合焦レンズによる合焦状態を判断する合焦状態判断手段（制御装置９）を備えている。
【０１０９】
この構成によれば、眼底の撮影位置に関係なくピント視標光を合焦操作に用いることができる。
【図面の簡単な説明】
【０１１０】
【図１】本発明に係る眼科撮影装置の外観図である。
【図２】本発明に係る眼科撮影装置の光学図である。
【図３】撮影すべき部位が動画で画面に表示されている状態を説明するためのモニタ画面を説明する図である。
【図３Ａ】（ａ）は図３の棒ミラー及びピント視標像の非合焦時の説明図、（ｂ）は（ａ）のＡ２−Ａ２線に沿う断面における光量説明図、（ｃ）は（ａ）のＡ３−Ａ３線に沿う断面における光量説明図である。
【図３Ｂ】（ａ）は図３の棒ミラー及びピント視標像の合焦時の説明図、（ｂ）は（ａ）のＡ２−Ａ２線に沿う断面における光量説明図、（ｃ）は（ａ）のＡ３−Ａ３線に沿う断面における光量説明図である。
【図４】図２に示す２孔絞りの孔部の配置とその２孔絞りを切り換える切換手段４７の関係を説明する図である。
【図５】図２に示す固視光源としての発光ダイオードの配列状態を示す図である。
【図６】図２に示すマスク板のピンホールの配列状況を説明する平面図である。
【図７】図３に示す指示枠の詳細を説明する図である。
【図８】図１の眼科撮影装置の制御装置の制御関係を説明する図である。
【図９】図１の操作パネルの詳細を説明する図である。
【図１０】眼底Ｅf中心部の撮影手順を説明するためのモニタ画面を説明する図である。
【図１１】眼底Ｅf周辺部の撮影手順を説明するためのモニタ画面を説明する図である。
【図１２】眼底Ｅf周辺部の撮影手順を説明するためのモニタ画面を説明する図である。
【図１３】眼底Ｅf周辺部の撮影手順を説明するためのモニタ画面を説明する図である。
【図１４】眼底Ｅf周辺部の撮影手順を説明するためのモニタ画面を説明する図である。
【図１５】眼底Ｅf周辺部の撮影手順を説明するためのモニタ画面を説明する図である。
【図１６】モニタ画面上に各静止画をつなげてパノラマ画像として表示した状態を示す図である。
【符号の説明】
【０１１１】
Ｅｆ…眼底
９…制御装置（合焦状態判断手段）
１０…照明光学系１０
６ｂ…ＣＣＤ（撮像手段）
２０…撮影光学系（受光光学系）
３０…観察光学系（受光光学系）
１９０…ピント視標投影光学系
１９０ａ…棒ミラー
１９０ａ′…ミラー像
１９１ａ，１９１ｂ…ピント視標光像
【図１】
2006280477.tif 000003
【図２】
2006280477.tif 000004
【図３】
2006280477.tif 000005
【図３Ａ】
2006280477.tif 000006
【図３Ｂ】
2006280477.tif 000007
【図４】
2006280477.tif 000008
【図５】
2006280477.tif 000009
【図６】
2006280477.tif 000010
【図７】
2006280477.tif 000011
【図８】
2006280477.tif 000012
【図９】
2006280477.tif 000013
【図１０】
2006280477.tif 000014
【図１１】
2006280477.tif 000015
【図１２】
2006280477.tif 000016
【図１３】
2006280477.tif 000017
【図１４】
2006280477.tif 000018
【図１５】
2006280477.tif 000019
【図１６】
2006280477.tif 000020